(57)【要約】      （修正有）【課題】マイクロフォンを使用しやすく、かつ、飛沫の拡散を抑制することができるマイク用飛沫防止シールドを提供する。【解決手段】マイク用飛沫防止シールド１０は、シート状部材１１と、シート状部材を着脱可能に支持する支持フレーム１２と、支持フレームが配設され、マイクロフォン２０に対して着脱可能に固定可能なクリップ部１３Ａを有する固定部材１３とを備える。シート状部材には、支持フレームに取り付けるための複数の着脱孔が間隔を開けて設けられ、支持フレームには、シート状部材を支持する複数の突起部１２Ａが間隔を開けて設けられている。各着脱孔に各突起部を対応させて挿入又は取り外すことにより、シート状部材は支持フレームに対して着脱可能とされる。【選択図】図１
0003230139.tif 000002
【実用新案登録請求の範囲】
【請求項１】
マイクロフォンに取り付けて用いるマイク用飛沫防止シールドであって、
シート状部材と、
このシート状部材を着脱可能に支持する支持フレームと、
この支持フレームが配設され、前記マイクロフォンに対して着脱可能に固定することが可能な固定部材とを備え、
前記支持フレームには、前記シート状部材を支持する複数の突起部が間隔を開けて設けられると共に、前記シート状部材には、前記各突起部に対応して複数の着脱孔が設けられ、前記各着脱孔に前記各突起部を対応させて挿入又は取り外すことにより、前記シート状部材は前記支持フレームに対して着脱可能とされた
ことを特徴とするマイク用飛沫防止シールド。
【請求項２】
前記固定部材は、
前記マイクロフォンの持ち手を挟むクリップ部と、
前記支持フレームが配設されるフレーム配設部と、
前記フレーム配設部を、前記クリップ部に対し、前記マイクロフォンの長さ方向に対して垂直な方向を回転軸として回動可能に配設する回動部と
を有することを特徴とする請求項１記載のマイク用飛沫防止シールド。
【請求項３】
前記支持フレームは、
前記突起部が間隔を開けて設けられ、前記シート状部材を湾曲させて支持する湾曲支持部と、
この湾曲支持部を前記固定部材に対して配設する支持配設部と
を有することを特徴とする請求項１又は請求項２記載のマイク用飛沫防止シールド。
【考案の詳細な説明】
【技術分野】
【０００１】
本考案は、マイクロフォンに用いる飛沫防止シールドに関する。
【背景技術】
【０００２】
近年、新型ウィルス感染症が流行しており、飛沫による感染を防止するためのフェイスシールドが広く用いられている。例えば、特許文献１には、使用者の頭部に装着され使用者の顔面前方を被覆する合成樹脂製のフェイスシールドが記載されている。このようなフェイスシールドは、顔面前方に１〜２ｃｍ程度の間隔を開けてシールド部を配置するものである。
【先行技術文献】
【特許文献】
【０００３】
【特許文献１】実用新案登録第３２２７９０８号公報
【考案の概要】
【考案が解決しようとする課題】
【０００４】
しかしながら、このようなフェイスシールドは、顔面の近くをシールド部で覆うので、講演会、講習会、又は、コンサート等の各種イベントでマイクロフォンを使用する場合や、カラオケ等を楽しむ場合には、声がシールド部で遮られてしまい、声がこもって聞き取りにくい場合があるという問題があった。また、顔とシールド部との距離が近いので、息によりシールド部が曇ってしまう場合があるという問題もあった。
【０００５】
本考案は、このような問題に基づきなされたものであり、マイクロフォンを使用しやすく、かつ、飛沫の拡散を抑制することができるマイク用飛沫防止シールドを提供することを目的とする。
【課題を解決するための手段】
【０００６】
本考案のマイク用飛沫防止シールドは、マイクロフォンに取り付けて用いるものであって、シート状部材と、このシート状部材を着脱可能に支持する支持フレームと、この支持フレームが配設され、マイクロフォンに対して着脱可能に固定することが可能な固定部材とを備え、支持フレームには、シート状部材を支持する複数の突起部が間隔を開けて設けられると共に、シート状部材には、各突起部に対応して複数の着脱孔が設けられ、各着脱孔に各突起部を対応させて挿入又は取り外すことにより、シート状部材は支持フレームに対して着脱可能とされたものである。
【考案の効果】
【０００７】
本考案のマイク用飛沫防止シールドによれば、シート状部材を支持する支持フレームが配設された固定部材により、マイクロフォンに対して着脱可能に固定することができるようにしたので、シート状部材を容易にマイクロフォンに固定することができる。よって、マイクロフォンの使い勝手を損ねずに、飛沫の拡散を抑制することができる。
【０００８】
また、支持フレームに複数の突起部を設けると共に、シート状部材に複数の着脱孔を設け、各着脱孔に各突起部を対応させて挿入又は取り外すことにより、シート状部材を支持フレームに対して着脱可能とするようにしたので、簡単にシート状部材を交換することができる。よって、使用する人ごとに交換することができ、衛生的に使用することができる。
【０００９】
また、クリップ部によりマイクロフォンの持ち手を挟んで固定するようにすれば、簡単にマイクロフォンに対して着脱可能とすることができる。更に、回動部により、フレーム配設部を、クリップ部に対し、マイクロフォンの長さ方向に対して垂直な方向を回転軸として回動可能とするようにすれば、使用する人に応じて、マイクロフォンに対するシート状部材の角度を変化させることができ、より使用しやすく、かつ、飛沫の拡散をより抑制することができる。
【００１０】
加えて、湾曲支持部によりシート状部材を湾曲させて支持するようにすれば、顔を曲線状に覆うことができ、飛沫の拡散をより抑制することができる。
【図面の簡単な説明】
【００１１】
【図１】本考案の一実施の形態に係るマイク用飛沫防止シールドの全体構成を表す図である。
【図２】図１に示したマイク用飛沫防止シールドの全体構成を表す他の図である。
【図３】図１及び図２に示したマイク用飛沫防止シールドのシート状部材の構成を表す図である。
【図４】図１及び図２に示したマイク用飛沫防止シールドの支持フレームの構成を表す図である。
【考案を実施するための形態】
【００１２】
以下、本考案の実施の形態について、図面を参照して詳細に説明する。
【００１３】
図１及び図２は、本考案の一実施の形態に係るマイク用飛沫防止シールド１０の全体構成を表すものである。図３は、マイク用飛沫防止シールド１０のシート状部材１１の構成を表すものである。図４は、マイク用飛沫防止シールド１０の支持フレーム１２の構成を表すものである。このマイク用飛沫防止シールド１０は、マイクロフォン２０に取り付けて用いることにより、飛沫の拡散を抑制するものである。
【００１４】
マイク用飛沫防止シールド１０は、シート状部材１１と、このシート状部材１１を着脱可能に支持する支持フレーム１２と、この支持フレーム１２が配設され、マイクロフォン２０に対して着脱可能に固定することが可能な固定部材１３とを備えている。
【００１５】
シート状部材１１は、例えば、透明なプラスチックよりなるシート材により構成することが好ましい。マイクロフォン２０を使用する人の顔を見ることができ、マイク用飛沫防止シールド１０を使用することによる違和感を小さくすることができるからである。シート状部材１１の大きさは任意であるが、少なくとも口の周囲を覆うことができる大きさ以上であることが好ましく、顔を覆うことができる程度の大きさとすればより好ましい。
【００１６】
シート状部材１１の下側の領域には、例えば、支持フレーム１２に対して取り付けるための複数の着脱孔１１Ａが横方向に間隔を開けて設けられている。支持フレーム１２には、シート状部材１１を支持する複数の突起部１２Ａが着脱孔１１Ａに対応して間隔を開けて設けられている。これにより、各着脱孔１１Ａに各突起部１２Ａを対応させて挿入又は取り外すことにより、シート状部材１１は支持フレーム１２に対して着脱可能とされている。各突起部１２Ａの先端部には、例えば、幅方向に突出するように、シート状部材１１を係止する係止部１２Ｂが設けられていることが好ましい。支持フレーム１２からシート状部材１１が脱落しないようにするためである。
【００１７】
支持フレーム１２は、また、例えば、シート状部材１１を湾曲させて支持する湾曲支持部１２Ｃを有していることが好ましい。シート状部材１１を湾曲させることにより、顔を曲線状に覆うことができ、飛沫の拡散をより抑制することができるからである。湾曲支持部１２Ｃは、例えば、外周側にシート状部材１１が当接される湾曲形状の当接部を有している。具体的には、湾曲支持部１２Ｃは、例えば、湾曲させた棒状部材により構成されており、湾曲支持部１２Ｃの外周側の当接部には、例えば、突起部１２Ａが湾曲方向に沿って間隔を開けて設けられていることが好ましい。なお、湾曲形状の当接部は、円弧状でもよいが、曲率が変化した弧状でもよい。支持フレーム１２は、更に、例えば、湾曲支持部１２Ｃを固定部材１３に対して配設する支持配設部１２Ｄを有している。
【００１８】
固定部材１３は、例えば、マイクロフォン２０の持ち手２１を挟むクリップ部１３Ａを有していることが好ましい。これにより、簡単にマイクロフォン２０に対して着脱可能とすることができるようになっている。クリップ部１３Ａは、例えば、マイクロフォン２０の持ち手２１を挟むように付勢された一対の挟み部１３Ｂを有しており、つまみ部１３Ｃにより一対の挟み部１３Ｂの間隔を広げることができるように構成されている。
【００１９】
固定部材１３は、また、例えば、支持フレーム１２が配設されるフレーム配設部１３Ｄを有している。フレーム配設部１３Ｄは、例えば、ねじ１３Ｅにより支持フレーム１２を着脱可能に固定するように構成されている。フレーム配設部１３Ｄには、例えば、ねじ１３Ｅに対応してねじ穴が設けられており、支持フレーム１２の支持配設部１２Ｄにも、例えば、ねじ１３Ｅに対応してねじ穴１２Ｅが設けられている。
【００２０】
フレーム配設部１３Ｄは、例えば、クリップ部１３Ａに対して、回動部１３Ｆにより回動可能に配設されていることが好ましい。マイクロフォン２０の持ち方は人により異なるので、使用する人に応じて、マイクロフォン２０に対するシート状部材１１の角度を変化させることができるようにするためである。これにより、より使用しやすく、かつ、飛沫の拡散をより抑制することができる。フレーム配設部１３Ｄは、例えば、マイクロフォン２０の長さ方向に対して垂直な方向を回転軸として回動可能とされることが好ましい。すなわち、回動部１３Ｆを回動させることにより、シート状部材１１の長さ方向とマイクロフォン２０の長さ方向との間の角度を変化させることができるようになっている。
【００２１】
このマイク用飛沫防止シールド１０は、例えば、次のようにして用いられる。まず、シート状部材１１を支持フレーム１２に取り付けた後、支持フレーム１２の支持配設部１２Ｄを固定部材１３のフレーム配設部１３Ｄに配設する。又は、支持フレーム１２の支持配設部１２Ｄを固定部材１３のフレーム配設部１３Ｄに配設した後、シート状部材１１を支持フレーム１２に取り付ける。次いで、固定部材１３のクリップ部１３Ａでマイクロフォン２０の持ち手２１を挟み固定する。続いて、使用する人に応じて、固定部材１３の回動部１３Ｆを回動させてシート状部材１１のマイクロフォン２０に対する角度を調整する。
【００２２】
使用後は、マイクロフォン２０からクリップ部１３Ａを取り外し、支持フレーム１２からシート状部材１１を取り外す。また、連続して使用する場合には、マイクロフォン２０に取り付けた状態で、シート状部材１１を新しいものに取り換えてもよい。
【００２３】
このように本実施の形態によれば、シート状部材１１を支持する支持フレーム１２が配設された固定部材１３により、マイクロフォン２０に対して着脱可能に固定することができるようにしたので、シート状部材１１を容易にマイクロフォン２０に固定することができる。よって、マイクロフォン２０の使い勝手を損ねずに、飛沫の拡散を抑制することができる。
【００２４】
また、支持フレーム１２に複数の突起部１２Ａを設けると共に、シート状部材１１に複数の着脱孔１１Ａを設け、各着脱孔１１Ａに各突起部１２Ａを対応させて挿入又は取り外すことにより、シート状部材１１を支持フレーム１２に対して着脱可能とするようにしたので、簡単にシート状部材１１を交換することができる。よって、使用する人ごとに交換することができ、衛生的に使用することができる。
【００２５】
また、クリップ部１３Ａによりマイクロフォン２０の持ち手２１を挟んで固定するようにすれば、簡単にマイクロフォン２０に対して着脱可能とすることができる。更に、回動部１３Ｆにより、フレーム配設部１３Ｄを、クリップ部１３Ａに対し、マイクロフォン２０の長さ方向に対して垂直な方向を回転軸として回動可能とするようにすれば、使用する人に応じて、マイクロフォン２０に対するシート状部材１１の角度を変化させることができ、より使用しやすく、かつ、飛沫の拡散をより抑制することができる。
【００２６】
加えて、湾曲支持部１２Ｃによりシート状部材１１を湾曲させて支持するようにすれば、顔を曲線状に覆うことができ、飛沫の拡散をより抑制することができる。
【００２７】
以上、実施の形態を挙げて本考案を説明したが、本考案は上記実施の形態に限定されるものではなく、種々変形可能である。例えば、上記実施の形態では、各構成要素について具体的に説明したが、各構成要素の具体的な構造や形状は異なっていてもよく、また、上述した構成要素を全て備えていなくてもよく、他の構成要素を備えていてもよい。
【００２８】
例えば、上記実施の形態では、湾曲支持部１２Ｃを湾曲させた棒状部材により構成する場合について説明したが、シート状部材１１が当接される側の外周が湾曲形状とされた板状部材により構成してもよい。
【００２９】
また、例えば、上記実施の形態では、固定部材１３をクリップ部１３Ａによりマイクロフォン２０に着脱可能に固定するようにする場合について説明したが、クリップ部１３Ａに変えて、マイクロフォン２０の持ち手２１を挿入可能な環状部材を設け、この環状部材にマイクロフォン２０の持ち手２１を挿入することにより着脱可能に固定する等、他の構造により着脱可能に固定するようにしてもよい。
【００３０】
更に、例えば、上記実施の形態では、支持フレーム１２と固定部材１３とを着脱可能とする場合について説明したが、着脱可能とされていなくてもよい。
【符号の説明】
【００３１】
１０…マイク用飛沫防止シールド、１１…シート状部材、１１Ａ…着脱孔、１２…支持フレーム、１２Ａ…突起部、１２Ｂ…係止部、１２Ｃ…湾曲支持部、１２Ｄ…支持配設部、１２Ｅ…ねじ穴、１３…固定部材、１３Ａ…クリップ部、１３Ｂ…挟み部、１３Ｃ…つまみ部、１３Ｄ…フレーム配設部、１３Ｅ…ねじ、１３Ｆ…回動部、２０…マイクロフォン、２１…持ち手
【図１】
0003230139.tif 000003
【図２】
0003230139.tif 000004
【図３】
0003230139.tif 000005
【図４】
0003230139.tif 000006